(57)【要約】    【課題】マイクロコンピュータを用いずに光度ランクに応じた点灯制御を行うこと。    【解決手段】光度ランクに応じて発光素子を駆動する装置であって、発光装置の識別素子に基づいて発光素子の光度ランクに応じて可変する光度ランク信号を出力する光度ランク識別部と、光度ランク識別部から出力される光度ランク信号に基づいてＰＷＭ比率を設定するＰＷＭ設定部と、ＰＷＭ設定部によって設定されるＰＷＭ比率に基づく調光用ＰＷＭ信号を生成するＰＷＭ信号出力部と、ＰＷＭ信号出力部によって生成される調光用ＰＷＭ信号に基づいてＰＷＭ制御された電流を供給する駆動電流供給部を備える。光度ランク識別部は複数の抵抗素子と複数のコンパレータを有して構成され、ＰＷＭ設定部は複数の第２抵抗素子と複数のスイッチング素子を有して構成され、ＰＷＭ信号出力部は、発振回路と調光ＰＷＭ信号生成回路を有して構成される。【選択図】    図２
2017130339.tif 000002
【特許請求の範囲】
【請求項１】
発光素子と当該発光素子の光度ランクを示す識別素子を有する発光装置と接続され、当該光度ランクに応じて前記発光素子を駆動する装置であって、
前記発光装置の前記識別素子に基づいて前記発光素子の前記光度ランクに応じて可変する光度ランク信号を出力する光度ランク識別部と、
前記光度ランク識別部から出力される前記光度ランク信号に基づいてＰＷＭ比率を設定するＰＷＭ設定部と、
前記ＰＷＭ設定部によって設定される前記ＰＷＭ比率に基づく調光用ＰＷＭ信号を生成するＰＷＭ信号出力部と、
前記ＰＷＭ信号出力部によって生成される前記調光用ＰＷＭ信号に基づいてＰＷＭ制御された電流を前記発光装置へ供給する駆動電流供給部と、
を含み、
前記光度ランク識別部は、相互に直列接続されており前記識別素子に対して並列に接続された複数の第１抵抗素子と、当該複数の第１抵抗素子に対応付けられており各々が当該各第１抵抗素子のうち１つの第１抵抗素子の一端電圧を参照電圧と比較する複数のコンパレータとを有し、
前記ＰＷＭ設定部は、相互に並列接続されている複数の第２抵抗素子と、当該複数の第２抵抗素子に対応付けられており、各々が当該各第２抵抗素子のうち１つの第２抵抗素子とそれ以外の各第２抵抗素子との間の導通状態を前記複数のコンパレータのうち１つの出力信号に応じて切り替える複数のスイッチング素子とを有し、
前記ＰＷＭ信号出力部は、前記複数の第２抵抗素子の並列合成抵抗値を前記ＰＷＭ比率として用いてパルス信号を生成する発振回路と、当該パルス信号を用いて前記調光用ＰＷＭ信号を生成し出力する調光ＰＷＭ信号生成回路とを有する、
発光装置の駆動装置。
【請求項２】
前記識別素子が前記発光素子の前記光度ランクに応じた大きさの抵抗値を有する抵抗素子である、
請求項１に記載の発光装置の駆動装置。
【請求項３】
前記調光用ＰＷＭ信号生成回路は、前記パルス信号を増幅するトランジスタを有する、
請求項１又は２に記載の発光装置の駆動装置。
【請求項４】
請求項１〜３の何れか１項に記載の駆動装置と、当該駆動装置によって駆動される発光装置とを含む、照明装置。
【発明の詳細な説明】
【技術分野】
【０００１】
本発明は、発光素子（ＬＥＤ）の点灯状態を制御する技術に関する。
【背景技術】
【０００２】
複数の発光素子を備えた照明装置における点灯制御方法の一つとして、各発光素子へ供給する電流をＰＷＭ（Pulse  Width  Modulation）制御する方法が知られている。例えば、特開２０１０−２８２７５７号公報（特許文献１）には、マイクロコンピュータを用いてＰＷＭ信号を生成し、このＰＷＭ信号を用いて発光素子をＰＷＭ制御する点灯回路が開示されている。このようなＰＷＭ制御は、例えば、青色ＬＥＤと蛍光体などを用いて構成される白色ＬＥＤを用いる場合に好適に用いられる。上記のような白色ＬＥＤは、電流の増減による調光制御を行うと当該電流の波高値によって色度が変化してしまうが、ＰＷＭ制御によればそのような不都合を生じにくいからである。
【０００３】
ところで、発光素子には特性のバラツキがあるため、同じ品名であっても明るさ別のランク（光度ランク）が指定されている場合がある。このような場合、同じ明るさを得るためには、指定されている光度ランクに応じて各発光素子へ供給する電流の大きさを調整する必要がある。このため、光度ランク別のイニシャル信号源をＬＥＤ回路基板に実装しておき、このイニシャル信号源から光度ランクを識別することで、光度ランクに応じた点灯制御を行うことができる。このような光度ランクに応じた点灯制御を行う点灯回路は、特許文献１に開示されるようなマイクロコンピュータを備える点灯回路であれば比較的容易に実現できる。しかしながら、マイクロコンピュータを用いる場合には、マイクロコンピュータ自体が比較的高価であり、また動作に必要なソフトウェアの作成や動作の検証による工数増もあることから、全体としてコスト増を招く。
【０００４】
【特許文献１】特開２０１０−２８２７５７号公報
【発明の開示】
【発明が解決しようとする課題】
【０００５】
本発明に係る具体的態様は、マイクロコンピュータを用いずに光度ランクに応じた点灯制御を行うことが可能な点灯制御技術を提供することを目的の１つとする。
【課題を解決するための手段】
【０００６】
本発明に係る一態様の駆動装置は、発光素子と当該発光素子の光度ランクを示す識別素子を有する発光装置と接続され、当該光度ランクに応じて前記発光素子を駆動する装置であって、（ａ）前記発光装置の前記識別素子に基づいて前記発光素子の前記光度ランクに応じて可変する光度ランク信号を出力する光度ランク識別部と、（ｂ）前記光度ランク識別部から出力される前記光度ランク信号に基づいてＰＷＭ比率を設定するＰＷＭ設定部と、（ｃ）前記ＰＷＭ設定部によって設定される前記ＰＷＭ比率に基づく調光用ＰＷＭ信号を生成するＰＷＭ信号出力部と、（ｄ）前記ＰＷＭ信号出力部によって生成される前記調光用ＰＷＭ信号に基づいてＰＷＭ制御された電流を前記発光装置へ供給する駆動電流供給部を含み、（ｅ）前記光度ランク識別部は、相互に直列接続されており前記識別素子に対して並列に接続された複数の第１抵抗素子と、当該複数の第１抵抗素子に対応付けられており各々が当該各第１抵抗素子のうち１つの第１抵抗素子の一端電圧を参照電圧と比較する複数のコンパレータとを有し、（ｆ）前記ＰＷＭ設定部は、相互に並列接続されている複数の第２抵抗素子と、当該複数の第２抵抗素子に対応付けられており、各々が当該各第２抵抗素子のうち１つの第２抵抗素子とそれ以外の各第２抵抗素子との間の導通状態を前記複数のコンパレータのうち１つの出力信号に応じて切り替える複数のスイッチング素子とを有し、（ｇ）前記ＰＷＭ信号出力部は、前記複数の第２抵抗素子の並列合成抵抗値を前記ＰＷＭ比率として用いてパルス信号を生成する発振回路と、当該パルス信号を用いて前記調光用ＰＷＭ信号を生成し出力する調光ＰＷＭ信号生成回路とを有する、発光装置の駆動装置である。
【０００７】
上記構成によれば、安価なアナログＩＣを用いて構成可能な発振回路やその他の回路素子を用いて駆動装置を構成できるので、マイクロコンピュータを用いずに光度ランクに応じた点灯制御を行うことが可能となる。
【０００８】
上記した駆動装置において、前記識別素子は、例えば前記発光素子の前記光度ランクに応じた大きさの抵抗値を有する抵抗素子である。また、前記調光用ＰＷＭ信号生成回路は、例えば前記パルス信号を増幅するトランジスタを有する。
【０００９】
本発明に係る一態様の照明装置は、上記した駆動装置とこの駆動装置によって駆動される発光装置を含む照明装置である。
【００１０】
上記構成によれば、マイクロコンピュータを用いずに光度ランクに応じた点灯制御を行うことが可能な照明装置が得られる。
【図面の簡単な説明】
【００１１】
【図１】図１は、一実施形態の点灯制御装置の構成を示すブロック図である。
【図２】図２は、光度ランク別ＰＷＭ設定回路、調光用ＰＷＭ生成回路および調光用ＰＷＭ出力回路の構成例を示す回路図である。
【図３】図３は、光度ランク識別回路の構成例を示す回路図である。
【発明を実施するための形態】
【００１２】
図１は、一実施形態の点灯制御装置（駆動装置）の構成を示すブロック図である。この点灯制御装置は、発光素子基板（発光装置）９の点灯状態を制御するためのものであり、光度ランク識別回路１、光度ランク別ＰＷＭ設定回路２、調光用ＰＷＭ生成回路３、調光用ＰＷＭ出力回路４およびＤＣ−ＤＣコンバータ５を含んで構成されている。制御対象である発光素子基板９は、１つ以上の発光素子９ａを含んで構成されており、かつこの発光素子９ａの光度ランクを示す識別素子である光度ランク識別素子９ｂを備えている。光度ランク識別素子９ｂは、例えば光度ランクに応じた大きさの抵抗値を有する抵抗素子である。この点灯制御装置（駆動装置）と発光素子基板（発光装置）９を含んで照明装置が構成される。
【００１３】
なお、本実施形態においては、光度ランク識別回路１が「光度ランク識別部」に対応し、光度ランク別ＰＷＭ設定回路２が「ＰＷＭ設定部」に対応し、調光用ＰＷＭ生成回路３および調光用ＰＷＭ出力回路４が「ＰＷＭ信号出力部」に対応し、ＤＣ−ＤＣコンバータ５が「駆動電流供給部」に対応する。
【００１４】
光度ランク識別回路１は、発光素子基板９に備わった光度ランク識別素子９ｂの抵抗値の大きさに基づいて発光素子９ａの光度ランクを識別し、光度ランクに応じた信号（以下「光度ランク信号」という）を出力する。
【００１５】
光度ランク別ＰＷＭ設定回路２は、光度ランク識別回路１から出力される光度ランク信号に基づいてＰＷＭ比率を設定する。
【００１６】
調光用ＰＷＭ生成回路３は、光度ランク別ＰＷＭ設定回路２によって設定されるＰＷＭ比率に応じたパルス幅を有するパルス信号を生成して調光用ＰＷＭ出力回路４へ出力する。
【００１７】
調光用ＰＷＭ出力回路４は、調光用ＰＷＭ生成回路３によって生成されるパルス信号に基づいて調光用ＰＷＭ信号を生成してＤＣ−ＤＣコンバータ５へ出力する。
【００１８】
ＤＣ−ＤＣコンバータ５は、例えばチョッパ方式のスイッチングレギュレータであり、車載バッテリ等の電源６から電力供給を受けて、調光用ＰＷＭ出力回路４から出力されるＰＷＭ信号に基づいてＰＷＭ制御された電流を発光素子基板９の発光素子９ａへ供給する。これにより、発光素子９ａが光度ランク識別素子９ｂによって示される光度ランクに応じた比率で点灯制御（ＰＷＭ調光）される。
【００１９】
図２は、光度ランク別ＰＷＭ設定回路、調光用ＰＷＭ生成回路および調光用ＰＷＭ出力回路の構成例を示す回路図である。例示の調光用ＰＷＭ生成回路３は、アナログＩＣ１を主要な構成要素としたＰＷＭ発振回路である。ここで、アナログＩＣ１は、低コストのアナログＩＣであり、外付けの容量素子や抵抗素子とともにマルチバイブレータを構成する。このようなアナログＩＣ１としては、例えばテキサス・インスツルメンツ社の型番ＮＥ５５５のタイマーＩＣ（あるいはその互換品）を用いることができる。
【００２０】
容量素子Ｃ３はアナログＩＣ１の動作安定用のものであり、アナログＩＣ１の端子ＣＯＮＴと基準電位ＧＮＤとの間に接続されている。抵抗素子１６は、一端が電源電位ＶＣＣに接続され、他端がトランジスタＱ１のドレインと接続されている。トランジスタＱ１は、ゲートが光度ランク信号Ａの入力端に接続され、ソースが基準電位ＧＮＤに接続され、ドレインが抵抗素子１６の一端に接続されている。
【００２１】
容量素子Ｃ２は、アナログＩＣ１の入力コンデンサであり、電源電位ＶＣＣと基準電位ＧＮＤとの間に接続されている。抵抗素子１５は、一端が光度ランク別ＰＷＭ設定回路２の各抵抗素子１１、１２、１３、１４の一端に接続され、他端が容量素子Ｃ１の一端に接続されている。容量素子Ｃ１は、アナログＩＣ１の周波数設定用のものであり、一端が抵抗素子１５に接続され、他端が基準電位ＧＮＤに接続されている。
【００２２】
アナログＩＣ１によるパルス信号のデューティ比Ｄは、例えば光度ランク別ＰＷＭ設定回路２のトランジスタＱ６〜Ｑ９のうち、トランジスタＱ６のみがオン状態（導通状態）である場合には、このトランジスタＱ６のコレクタと接続されている抵抗素子１１の抵抗値Ｒ１と、アナログＩＣ１に接続された抵抗素子１５の抵抗値Ｒ５によって以下の関係により定まる。なお、ここでいうデューティ比Ｄとは、設定周期においてアナログＩＣ１の３番ピンＯＵＴの出力がローレベルとなる比率である。
Ｄ＝Ｒ５／（Ｒ１＋２×Ｒ５）  ・・・(1)
【００２３】
例示の光度ランク別ＰＷＭ設定回路２は、主に小信号ＭＯＳＦＥＴ（電界効果トランジスタ）であるトランジスタＱ２、Ｑ３、Ｑ４、Ｑ５、小信号デジタルトランジスタであるトランジスタＱ６、Ｑ７、Ｑ８、Ｑ９、小電力抵抗素子である抵抗素子１１、１２、１３、１４を含んで構成されている。
【００２４】
トランジスタＱ２は、ゲートが光度ランク信号Ｂの入力端に接続され、ソースが基準電位ＧＮＤに接続され、ドレインがダイオードＤ１および抵抗素子を経由してトランジスタＱ６のベースに接続されている。
【００２５】
なお、ダイオードＤ１は逆流防止用ダイオードであり、回路ロジックに応じて設定される。同様に、トランジスタＱ２のドレインと光度ランク信号Ａの入力端の間に接続されたダイオードＤ２も逆流防止用ダイオードであり、回路ロジックに応じて設定される。
【００２６】
トランジスタＱ３は、ゲートが光度ランク信号Ｃの入力端に接続され、ソースが基準電位ＧＮＤに接続され、ドレインが抵抗素子を経由してトランジスタＱ７のベースに接続されている。
【００２７】
トランジスタＱ４は、ゲートが光度ランク信号Ｄの入力端に接続され、ソースが基準電位ＧＮＤに接続され、ドレインが抵抗素子を経由してトランジスタＱ８のベースに接続されている。
【００２８】
トランジスタＱ５は、ゲートが光度ランク信号Ｅの入力端に接続され、ソースが基準電位ＧＮＤに接続され、ドレインが抵抗素子を経由してトランジスタＱ９のベースに接続されている。
【００２９】
トランジスタＱ６は、ベースが抵抗素子およびダイオードＤ１を経由してトランジスタＱ２のドレインに接続され、エミッタが電源電位ＶＣＣに接続され、コレクタが抵抗素子１１の一端に接続されている。なお、ベース−エミッタにも抵抗素子が接続されている。
【００３０】
トランジスタＱ７は、ベースが抵抗素子を経由してトランジスタＱ３のドレインに接続され、エミッタが電源電位ＶＣＣに接続され、コレクタが抵抗素子１２の一端に接続されている。なお、ベース−エミッタにも抵抗素子が接続されている。
【００３１】
トランジスタＱ８は、ベースが抵抗素子を経由してトランジスタＱ４のドレインに接続され、エミッタが電源電位ＶＣＣに接続され、コレクタが抵抗素子１３の一端に接続されている。なお、ベース−エミッタにも抵抗素子が接続されている。
【００３２】
トランジスタＱ９は、ベースが抵抗素子を経由してトランジスタＱ５のドレインに接続され、エミッタが電源電位ＶＣＣに接続され、コレクタが抵抗素子１４の一端に接続されている。なお、ベース−エミッタにも抵抗素子が接続されている。
【００３３】
上記したトランジスタＱ２〜Ｑ５は、光度ランク識別回路１から光度ランクに応じて供給される光度ランク信号Ａ〜Ｅによって各信号別にトリガーされるスイッチである。なお、調光用ＰＷＭ生成回路３に含まれるトランジスタＱ１も同様である。ここでは、光度ランクは５つのランクに分かれており、各ランクに応じて光度ランク信号Ａ〜Ｅが光度ランク識別回路１から供給される。
【００３４】
トランジスタＱ６〜Ｑ９は、上記したトランジスタＱ２〜Ｑ５の導通状態（オン／オフ）に応じて各々の導通状態が制御され、各抵抗素子１１〜１４を電源電圧ＶＣＣにプルアップしてアナログＩＣ１の７番ピン（ディスチャージピン）に接続するか否かを設定する。抵抗素子１１〜１４は、調光用ＰＷＭ信号のデューティ比Ｄを光度ランク信号に応じて可変に設定するための並列合成抵抗を構成する。この並列合成抵抗の抵抗値の大きさがＰＷＭデューティ比率（ＰＷＭ比率）に対応する。
【００３５】
例えば、光度ランク信号Ａのみがハイレベルになった場合にはトランジスタＱ１がオン状態となってアナログＩＣ１のリセット端子ＲＥＳＥＴはローレベルに引き込まれ、アナログＩＣ１は動作停止する。このとき、光度ランク信号ＢもハイレベルになったとすればトランジスタＱ２もオン状態となり、トランジスタＱ１のゲート、ダイオードＤ１、Ｄ２およびトランジスタＱ６のベースともどもローレベルに引き込まれるので、結果としてトランジスタＱ１はオフ状態となる。また、トランジスタＱ１のオン状態によってトランジスタＱ６がオン状態となり、抵抗素子１１が電源電圧ＶＣＣと抵抗素子１５の間で導通する。それにより、アナログＩＣ１は、リセット端子ＲＥＳＥＴがハイレベルとなり発振開始する。このときのＰＷＭデューティ比率をＤＢとすると、電源電圧ＶＣＣ側の抵抗素子１１、１２、１３、１４のうち抵抗素子１１のみ導通するので、上記(1)式より、ＰＷＭデューティ比率ＤＢは以下のように定まる。
ＤＢ＝Ｒ５／（Ｒ１＋２×Ｒ５）  ・・・(2)
【００３６】
同様に、光度ランク信号Ａ，Ｂ，Ｃがハイレベルになった場合には、上記した光度ランク信号Ａ，Ｂがハイレベルになった場合の動作に加えて、トランジスタＱ３がオン状態となることにより、トランジスタＱ７もローレベルに引き込まれてオン状態となり、抵抗素子１２が電源電圧ＶＣＣと抵抗素子１５との間で導通する。この結果、電源電圧ＶＣＣと抵抗素子１５との間に接続された抵抗素子の抵抗値は、抵抗素子１１、１２の並列合成抵抗となる。このときのＰＷＭデューティ比率をＤＣとすると、以下のように定まる。なお、抵抗素子１１、１２の各抵抗値Ｒ１、Ｒ２の並列合成抵抗値をＲ１２とする。
ＤＣ＝Ｒ５／（Ｒ１２＋２×Ｒ５）  ・・・(3)
【００３７】
同様に、光度ランク信号Ａ，Ｂ，Ｃ，Ｄがハイレベルになった場合には、それぞれ電源電圧ＶＣＣと抵抗素子１５との間に接続された抵抗素子の抵抗値は、抵抗素子１１、１２、１３の各抵抗値Ｒ１、Ｒ２、Ｒ３の並列合成抵抗値となる。このときのＰＷＭデューティ比率をＤＤとすると、以下のように定まる。なお、抵抗値Ｒ１、Ｒ２、Ｒ３の並列合成抵抗の抵抗値をＲ１２３とする。
ＤＤ＝Ｒ５／（Ｒ１２３＋２×Ｒ５）  ・・・(4)
【００３８】
同様に、光度ランク信号Ａ，Ｂ，Ｃ，Ｄ，Ｅがハイレベルになった場合には、それぞれ電源電圧ＶＣＣと抵抗素子１５との間に接続された抵抗素子の抵抗値は、抵抗素子１１、１２、１３、１４の並列合成抵抗となる。このときのＰＷＭデューティ比率をＤＥとすると、以下のように定まる。なお、抵抗値Ｒ１、Ｒ２、Ｒ３、Ｒ４の並列合成抵抗の抵抗値をＲ１２３４とする。
ＤＤ＝Ｒ５／（Ｒ１２３４＋２×Ｒ５）  ・・・(4)
【００３９】
なお、光度ランク信号Ａのみがハイレベルになった場合には、トランジスタＱ１がオン状態となることから、アナログＩＣ１はリセット端子ＲＥＳＥＴがローレベルに引き込まれるので発振動作を停止する。このとき、調光用ＰＷＭ出力回路４において電源電位ＶＣＣとトランジスタＱ１のドレインとの間に直列接続されたダイオードＤ３と抵抗素子１７を経由してトランジスタＱ１０もローレベルに引き込まれてオフ状態となるので、調光用ＰＷＭ信号の出力端はオープン状態となる。そこで、本実施形態では調光用ＰＷＭ信号の出力端がオープン状態のときには調光デューティが１００％となるような設定のＤＣ−ＤＣコンバータ５（例えば、ＭＡＸＩＭ社のＭＡＸ１６８３３など）を用いる。
【００４０】
以上のことから、光度ランク信号Ａ〜Ｅの入力状態（ハイレベル／ローレベル）に応じて、アナログＩＣ１のＰＷＭデューティ比率を５ランクに可変することができる。ここで、例えばＲ１＝４３ｋΩ、Ｒ２＝３３ｋΩ、Ｒ３＝２４ｋΩ、Ｒ４＝１５ｋΩ、Ｒ５＝２．２ｋΩとし、トランジスタＱ１１の反転により、ハイレベルのときをオン状態とすると、光度ランク信号Ａ〜Ｅによる、各ランクのＰＷＭデューティ比率は大凡以下の通りとなる。
光度ランクＡ：オンデューティ比率１００％
光度ランクＢ：オンデューティ比率  ９５％
光度ランクＣ：オンデューティ比率  ９０％
光度ランクＤ：オンデューティ比率  ８５％
光度ランクＥ：オンデューティ比率  ８０％
【００４１】
調光用ＰＷＭ出力回路４において、トランジスタＱ１１は、ベースが抵抗素子を経由してアナログＩＣ１の出力端ＯＵＴと接続され、エミッタが基準電位ＧＮＤに接続され、コレクタが抵抗素子１７を経由して電源電位ＶＣＣに接続されている。また、ベース−エミッタ間にも抵抗素子が接続されている。
【００４２】
調光用ＰＷＭ出力回路４において、トランジスタＱ１０は、ベースが抵抗素子を経由してトランジスタＱ１１のコレクタと接続され、エミッタが基準電位ＧＮＤに接続され、コレクタが調光用ＰＷＭ信号の出力端に接続されている。また、ベース−エミッタ間にも抵抗素子が接続されている。
【００４３】
なお、調光用ＰＷＭ出力回路４のトランジスタＱ１０はＰＷＭ出力反転用であり、回路ロジックに応じて設定される。また、ダイオードＤ３は抵抗素子１６により誤ってトランジスタＱ１０がオン状態となるのを防ぐための逆流防止用ダイオードである。
【００４４】
また、アナログＩＣ１としてテキサス・インスツルメンツ社の型番ＮＥ５５５などのいわゆる５５５タイプのアナログＩＣを例示したが、マイクロコンピュータよりも低コストであれば別のアナログＩＣであってもよい。さらに、ランク数も５に限定されないし、ランクＡ〜Ｅのロジックを逆にすることも可能である。
【００４５】
図３は、光度ランク識別回路の構成例を示す回路図である。ここでは、上記のように発光素子基板９に搭載されている光度ランク識別素子９ｂが抵抗素子であるとする。
【００４６】
光度ランク識別素子９ｂは、抵抗素子２７と直列接続されている。そして、抵抗素子２７の一端が電源電圧ＶＣＣ（例えば＋５Ｖ）に接続され、光度ランク識別素子９ｂの一端が基準電位ＧＮＤに接続されている。
【００４７】
抵抗素子２１、２２、２３、２４、２５、２６は、この順に直列接続されており、抵抗素子２１の一端が基準電位ＧＮＤと接続され、抵抗素子２６の一端が電源電位ＶＣＣと接続されている。そして、抵抗素子２１〜２６の直列体と、上記した光度ランク識別素子９ｂと抵抗素子２７の直列体とは、電源電位ＶＣＣと基準電位ＧＮＤとの間で並列に接続されている。
【００４８】
コンパレータ４１は、反転入力端が抵抗素子２１と抵抗素子２２の接続点に接続されており、非反転入力端が抵抗素子２８を介して抵抗素子２７と光度ランク識別素子９ｂの接続点に接続されている。このコンパレータ４１は、抵抗素子２８を経由して得られる光度ランク識別素子９ｂの一端電圧を参照電圧として用いて、抵抗素子２１と抵抗素子２２の接続点の電圧と比較する。
【００４９】
コンパレータ４２は、反転入力端が抵抗素子２２と抵抗素子２３の接続点に接続されており、非反転入力端が抵抗素子２８を介して抵抗素子２７と光度ランク識別素子９ｂの接続点に接続されている。このコンパレータ４２は、抵抗素子２８を経由して得られる光度ランク識別素子９ｂの一端電圧を参照電圧として用いて、抵抗素子２２と抵抗素子２３の接続点の電圧と比較する。
【００５０】
コンパレータ４３は、反転入力端が抵抗素子２３と抵抗素子２４の接続点に接続されており、非反転入力端が抵抗素子２８を介して抵抗素子２７と光度ランク識別素子９ｂの接続点に接続されている。このコンパレータ４３は、抵抗素子２８を経由して得られる光度ランク識別素子９ｂの一端電圧を参照電圧として用いて、抵抗素子２３と抵抗素子２４の接続点の電圧と比較する。
【００５１】
コンパレータ４４は、反転入力端が抵抗素子２４と抵抗素子２５の接続点に接続されており、非反転入力端が抵抗素子２８を介して抵抗素子２７と光度ランク識別素子９ｂの接続点に接続されている。このコンパレータ４４は、抵抗素子２８を経由して得られる光度ランク識別素子９ｂの一端電圧を参照電圧として用いて、抵抗素子２４と抵抗素子２５の接続点の電圧と比較する。
【００５２】
コンパレータ４５は、反転入力端が抵抗素子２５と抵抗素子２６の接続点に接続されており、非反転入力端が抵抗素子２８を介して抵抗素子２７と光度ランク識別素子９ｂの接続点に接続されている。このコンパレータ４４は、抵抗素子２８を経由して得られる光度ランク識別素子９ｂの一端電圧を参照電圧として用いて、抵抗素子２５と抵抗素子２６の接続点の電圧と比較する。
【００５３】
このとき、（ａ）光度ランク識別素子９ｂの抵抗値がランクＡのときにはコンパレータ４１のみ出力がハイレベル（オン状態）となり、（ｂ）光度ランク識別素子９ｂの抵抗値がランクＢのときにはコンパレータ４１、４２の各出力がハイレベル（オン状態）となり、（ｃ）光度ランク識別素子９ｂの抵抗値がランクＣのときにはコンパレータ４１、４２、４３の各出力がハイレベル（オン状態）となり、（ｄ）光度ランク識別素子９ｂの抵抗値がランクＤのときにはコンパレータ４１、４２、４３、４４の各出力がハイレベル（オン状態）となり、（ｅ）光度ランク識別素子９ｂの抵抗値がランクＥのときにはコンパレータ４１、４２、４３、４４、４５の各出力がハイレベル（オン状態）となるように、抵抗素子２１〜２７の各抵抗値を設定すれば、光度ランクに応じた光度ランク信号を出力可能となる。例えば、抵抗素子２１〜２７の各抵抗値は、２２ｋΩ、１０ｋΩ、１０ｋΩ、１０ｋΩ、１５ｋΩ、２０ｋΩ、１０ｋΩと設定できる。
【００５４】
なお、各コンパレータ４１〜４５の出力端と電源電位ＶＣＣとの間にそれぞれ接続されている抵抗素子２９、３０、３１、３２、３３は、各コンパレータの出力端がオープンコレクタであることを考慮したプルアップ抵抗素子であるので、各コンパレータの出力端がトーテムポールである場合にはこれらの抵抗素子は不要である。また、電源電位ＶＣＣから抵抗素子２７を経由して各コンパレータの非反転入力端に共通接続されている抵抗素子２８は、各コンパレータの誤動作防止用のダンピング抵抗素子である。
【００５５】
以上のような実施形態によれば、安価なアナログＩＣを用いて構成可能な発振回路やその他の回路素子を用いて駆動装置を構成できるので、マイクロコンピュータを用いずに光度ランクに応じた点灯制御を行うことが可能となる。
【００５６】
なお、本発明は上述した実施形態の内容に限定されるものではなく、本発明の要旨の範囲内において種々に変形して実施をすることが可能である。例えば、回路構成は一例であってこれらにのみ限定されるものではない。
【符号の説明】
【００５７】
１：光度ランク識別回路
２：光度ランク別ＰＷＭ設定回路
３：調光用ＰＷＭ生成回路
４：調光用ＰＷＭ出力回路
５：ＤＣ−ＤＣコンバータ
６：電源
９：発光素子基板
９ａ：発光素子
９ｂ：光度ランク識別素子
１１、１２、１３、１４、１５、１６、１７、２１、２２、２３、２４、２５、２６、２７、２８、２９、３０、３１、３２、３３：抵抗素子
４１、４２、４３、４４、４５：コンパレータ
Ｃ１、Ｃ２、Ｃ３：容量素子
Ｄ１、Ｄ２、Ｄ３：ダイオード
Ｑ１、Ｑ２、Ｑ３、Ｑ４、Ｑ５、Ｑ６、Ｑ７、Ｑ８、Ｑ９、Ｑ１０、Ｑ１１：トランジスタ
【図１】
2017130339.tif 000003
【図２】
2017130339.tif 000004
【図３】
2017130339.tif 000005